(57)【特許請求の範囲】
【請求項１】
底壁及び底壁から立設した複数の仕切壁をそれぞれ有した複数のハウジングを備え、前記仕切壁が対向するようにハウジングを組み合わせることにより圧接端子を収容するための端子収容室が形成される圧接コネクタであって、組み合わせられるハウジングの仕切壁の対向端部が相互に噛み合う形状となっていることを特徴とする圧接コネクタ。
【請求項２】
請求項１記載の発明であって、一方のハウジングの対向端部に凹み部が形成され、この凹み部に他方のハウジングの仕切壁の対向端部が侵入することを特徴とする圧接コネクタ。
【請求項３】
請求項１記載の発明であって、組み合わせられるハウジングの仕切壁の対向端部が相互に噛み合う階段状に成形されていることを特徴とする圧接コネクタ。
【発明の詳細な説明】
【０００１】
【発明の属する技術分野】
本発明は、圧接端子を収容する圧接コネクタに関する。
【０００２】
【従来の技術】
圧接端子は圧接刃が電線の絶縁被覆に喰い込んで絶縁被覆内部の導体と接触することにより、電線と導通する。図４はこの圧接端子を収容した従来の圧接コネクタを示し、１は絶縁性樹脂からなるハウジングであり、底壁２及び所定間隔を有して底壁２から立設する複数の仕切壁３を備え、底壁２と隣接する仕切壁３とによって囲まれた部分が端子収容室４となっている。端子収容室４はハウジング１に複数形成されており、各端子収容室４内に圧接端子５が収容される。
【０００３】
圧接端子５は、相手端子（図示省略）が挿入されることによって、相手端子が接触して導通する筒状の接触部６と、この接触部６と底部７を介して連設した圧接部８とを備えている。圧接部８は底部７の両側を屈曲して立ち上げることによって対向するように配置されている。各圧接部８はコ字状に成形されており、折曲された両端部が電線１０に喰い込む圧接刃９となっている。なお、電線１０は導体１１が絶縁被覆１２に被覆された構造となっている。
【０００４】
この構造では、圧接端子５の圧接部８の間に位置するように電線１０を上方から位置決めし、圧接治具（図示省略）を下降させて電線１０を圧接部８の間に押し込む。この押し込みによって圧接刃９が絶縁被覆１２に喰い込んで、導体１２と接触するため、電線１０と接続することができる。
【０００５】
このような圧接治具による押し込みを可能とするため、ハウジング１の上面は開放された状態となっている必要がある。従来では、この開放されているハウジング１の上面に対し、平板状のカバー１３を被せるようになっており、このカバー１３によって端子収容室４の上方を閉じている。
【０００６】
【発明が解決しようとする課題】
ところで、カバー１３を被せるだけの従来構造の圧接コネクタでは、端子収容室４の内部で結露が生じ易く、この結露によって漏電するおそれがある。すなわち、カバー１３を被せるだけでは、図５に示すように、ハウジング１の仕切壁３とカバー１３との間に隙間１４ができ、湿気がこの隙間１４を通過して端子収容室４の内部に侵入するおそれがある。
【０００７】
本発明はこのような従来の問題点を考慮してなされたものであり、端子収容室内での結露を確実に防止することができる構造の圧接コネクタを提供することを目的とする。
【０００８】
【課題を解決するための手段】
上記目的を達成するため、請求項１の発明は、底壁及び底壁から立設した複数の仕切壁をそれぞれ有した複数のハウジングを備え、前記仕切壁が対向するようにハウジングを組み合わせることにより圧接端子を収容するための端子収容室が形成される圧接コネクタであって、組み合わせられるハウジングの仕切壁の対向端部が相互に噛み合う形状となっていることを特徴とする。
【０００９】
この構造では、仕切壁を対向させてハウジングを組み合わせることによって、仕切壁によって仕切られた複数の端子収容室を形成できる。そして対向した仕切壁の対向端部が相互に噛み合うため、この噛み合いによって隣接した端子収容室に達するまでの沿面距離が長くなる。従って、湿気や雨水が端子収容室に侵入しにくくなり、結露を防止できる。又、仕切壁の対向端部が噛み合った状態では、ハウジングの相互の位置ズレを防止することができる。
【００１０】
請求項２の発明は、請求項１記載の発明であって、一方のハウジングの対向端部に凹み部が形成され、この凹み部に他方のハウジングの仕切壁の対向端部が侵入することを特徴とする。
【００１１】
凹み部に相手側のハウジングの対向端部が侵入することによって、対向端部が噛み合い状態となるため、沿面距離を長く確保できる。
【００１２】
請求項３の発明は、請求項１記載の発明であって、組み合わせられるハウジングの仕切壁の対向端部が相互に噛み合う階段状に成形されていることを特徴とする。
【００１３】
このように仕切壁の対向端部が階段状に噛み合う場合にも、沿面距離を長く確保できる。
【００１４】
【発明の実施の形態】
図１は本発明の一実施形態の全体の部分破断正面図、図２はその要部の断面図である。この実施形態の圧接コネクタ２０は３個のハウジングを上下方向に組み合わせることによって構成されており、２１は最上部に位置するアッパハウジング、２２は中間部分に位置するロアハウジング、２３は最下部に位置するカバーハウジングである。
【００１５】
これらのハウジング２１、２２、２３の両端の対向部分には、鉤状に形成されたフック部２１ａ、２２ａ、２２ｂ、２３ａが形成されており、これらのフック部が係合することによって圧接コネクタ２０が組み立てられる。すなわち、アッパーハウジング２１のフック部２１ａがロアハウジング２２のフック部２２ａと係合し、カバーハウジング２３のフック部２３ａが、フック部２２ａと連設されているロアハウジング２２のフック部２２ｂと係合し、これらの係合によって、ハウジング２１、２２、２３が組み合わせられるものである。従って、この実施形態では、アッパーハウジング２１及びロアハウジング２２がお互いに相手側のハウジングとなる一方、ロアハウジング２２及びカバーハウジング２３がお互いに相手側のハウジングとなっている。
【００１６】
アッパーハウジング２１及びロアハウジング２２は横長方向に延びる底壁２５、２６をそれぞれ有していると共に、所定間隔で底壁２５、２６から相手側のハウジング方向に起立する複数の仕切壁２７、２８を有している。各ハウジング２１、２２における仕切壁２７、２８は相互に対向しており、ハウジング２１、２２を組み合わせることによって、対向した仕切壁２７、２８が当接する。そして仕切壁２７、２８及び底壁２５、２６によって囲まれることにより端子収容室２９が形成される。
【００１７】
ロアハウジング２２及びカバーハウジング２３においても同様であり、ロアハウジング２２の底壁２６からは、仕切壁３０がカバーハウジング２３方向に起立している。これに対し、カバーハウジング２３は横長方向に延びる底壁３１を有していると共に、底壁３１からは、仕切壁３２がロアハウジング２２方向に複数起立している。そして、ハウジング２２、２３を組み合わせることにより、仕切壁３０、３２、底壁２６、３１で囲まれた端子収容室３３が形成される。
【００１８】
なお、組み合わせられるハウジング２１、２２、２３の内、下側に位置するハウジング（ロアハウジング２２、カバーハウジング２３）には、相手側のハウジング２１、２２の方向に起立する押し上げ突起３４が形成されている。押し上げ突起３４は端子収容室２９、３３と対向するように形成されており、ハウジングの組み合わせ時に、後述する圧接端子に電線を圧接させるものである。
【００１９】
このような実施形態では、端子収容室２９、３３が上下２段で形成され、この上下２段の状態で横方向に複数、配設されている。それぞれの端子収容室２９、３３の内部には、圧接端子（図２参照）が挿入される。圧接端子は図４と同様な構造となっており、図２において、３５は電線に喰い込む圧接刃であり、斜め下方に傾斜した刃体３５ａを有している。
【００２０】
以上の実施形態において、対向した相手側ハウジングの仕切壁は、その対向端部が相互に噛み合う形状に成形されるものである。図２は、この噛み合いをロアハウジング２２及びカバーハウジング２３について示している。
【００２１】
それぞれのハウジング２２、２３の仕切壁３０、３２は相手側の仕切壁３２、３０と当接する長さに形成されており、ロアハウジング２２側の仕切壁３０の対向端部３６は、その中央部分が円弧状に窪むことによって凹み部３７が形成されている。これに対して、カバーハウジング２３側の仕切壁３２の対向端部３８は先細り状の凸部３９となっており、ロアハウジング２２側の凹み部３７の内部に侵入可能となっている。
【００２２】
このようなハウジング２２、２３を組み合わせると、凹み部３７内に凸部３９が侵入して嵌まり込み、仕切壁３０、３２の対向端部３６、３８が相互に噛み合った状態となる。この噛み合い状態では、隣接した端子収容室３３に達するまでの沿面距離が長くなり、湿気や雨水が端子収容室３３に侵入しにくくなる。このため、端子収容室３３内での結露を防止でき、結露に起因した漏電を防止することができる。又、対向端部３６、３８が相互に噛み合うことによって、仕切壁３０、３２が強固な結合状態となる。このためハウジング２２、２３の位置ズレを防止することも可能となる。
【００２３】
図３は、本発明の別の実施形態をロアハウジング２２及びカバーハウジング２３について示すものである。ロアハウジング２２側の仕切壁３０における対向端部３６は、低部４０及び高部４１からなる階段状に形成されている一方、カバーハウジング２３側の仕切壁３２における対向端部３８も、低部４２及び高部４３からなる階段状に形成されている。そして、これらの対向端部３６、３８においては、低部４０、４２が相手側の高部４３、４１に対向している。従ってハウジング２２、２３を組み合わせると、対向端部３６、３８が相互に噛み合った状態なり、隣接した端子収容室３３に達するまでの沿面距離が長くなる。これにより、湿気や雨水の浸入を防止することができる。
【００２４】
なお、以上の対向端部の構造はアッパーハウジング２１の仕切壁２７及びロアハウジング２２の仕切壁２８に対しても同様に適用されるものであり、これにより、上段側に配置されている端子収容室２９に対する結露を、同様に防止することができる。
【００２５】
【発明の効果】
請求項１の発明によれば、仕切壁を対向させてハウジングを組み合わせることによって、対向した仕切壁によって仕切られた端子収容室を形成できる。このハウジングの組み合わせ状態では、対向した仕切壁の対向端部が相互に噛み合うため、隣接した端子収容室に達するまでの沿面距離が長くなる。従って、湿気や雨水が端子収容室に侵入しにくくなり、結露を防止できる。
【００２６】
請求項２の発明によれば、一方のハウジングの凹み部に他方のハウジングの対向端部が侵入することによって、対向端部が噛み合い状態となるため、沿面距離を長く確保できる。
【００２７】
請求項３の発明によれば、対向している対向端部が階段状に噛み合うため、沿面距離を長く確保できる。
【図面の簡単な説明】
【図１】本発明の一実施形態の全体を示す部分破断正面図である。
【図２】一実勢形態の要部の断面図である。
【図３】別の実施形態の要部の断面図である。
【図４】従来の圧接コネクタの部分破断斜視図である。
【図５】従来の圧接コネクタの問題点を示す断面図である。
【符号の説明】
２０  圧接コネクタ
２１  アッパハウジング
２２  ロアハウジング
２３  カバーハウジング
２５  ２６  ３１  底壁
２７  ２８  ３０  ３２  仕切壁
２９  ３３  端子収容室
３５  圧接刃
３６  ３８  対向端部
３７  凹み部
３９  凸部
４０  ４２  低部
４１  ４３  高部
【図１】
0003593425.tif 000002
【図２】
0003593425.tif 000003
【図３】
0003593425.tif 000004
【図４】
0003593425.tif 000005
【図５】
0003593425.tif 000006